(57)【特許請求の範囲】
【請求項１】
錠剤落下経路の形成された板状の落下錠剤案内部材とその支持部材とが摺動にて係合・分離するとともに、その摺動と平行な摺動にて錠剤裁断刃とそれを保持する刃進退部材とが係合・分離するようになっており、更に、前記支持部材と前記刃進退部材とを内部に収めている筐体のうち前記両摺動方向の先には前記落下錠剤案内部材と前記錠剤裁断刃とを同時に通過させうる開口が形成されている錠剤分割装置に係る錠剤裁断刃着脱作業を支援するための錠剤裁断刃交換治具であって、前記錠剤裁断刃を前記刃進退部材に対して摺動させうる状態で挿入しうる切込が形成されている板状体を具備しており且つ前記落下錠剤案内部材に代えて前記支持部材に対して摺動にて係合させたり分離させたりしうる治具本体部と、前記切込に前記錠剤裁断刃を留め置く刃保持部材と、その留置の継続と解除とを手動操作に応じて切り替える操作部材と、その切替後の状態を留置継続側でも留置解除側でも持続させようとする付勢部材とを備えていることを特徴とする錠剤裁断刃交換治具。
【請求項２】
前記板状体が二枚開閉可能な状態で前記治具本体部に具備されており、その二枚の閉時の内向面に刃先を向けて前記錠剤裁断刃が前記板状体に保持されるようになっていることを特徴とする請求項１記載の錠剤裁断刃交換治具。
【発明の詳細な説明】
【技術分野】
【０００１】
この発明は、錠剤を錠剤裁断刃にて裁断して幾つかの錠剤裁断片に分割する錠剤分割装置に対して錠剤裁断刃の交換等のために使用される治具に関し、詳しくは、錠剤分割装置に一時的に挿抜されて錠剤裁断刃の受け渡しを行う錠剤裁断刃交換治具に関する。
【背景技術】
【０００２】
錠剤裁断刃を容易かつ気軽に着脱しうるようになった錠剤分割装置および錠剤裁断刃交換治具が開発されており（例えば特許文献１参照）、この従来の錠剤分割装置は、錠剤裁断のため、板状体からなり上端から下端まで溝状の錠剤落下経路が形成されている落下錠剤案内部材と、前記錠剤落下経路を下ってきた分割対象の錠剤を前記錠剤落下経路の途中の裁断位置に経路開閉にて一時保持する受止部材と、錠剤裁断刃を装着した刃進退部材を前記裁断位置に向けて進退させることにより前記錠剤を裁断する裁断機構と、前記落下錠剤案内部材と前記受止部材と前記裁断機構とを内部に収める筐体とを備えている。
【０００３】
しかも、この錠剤分割装置にあっては、錠剤裁断刃の着脱の容易化のために、前記落下錠剤案内部材と前記錠剤裁断刃とを通過させうる開口が前記筐体に形成されており、前記落下錠剤案内部材とそれを前記筐体内で支持する支持部材とが摺動にて係合したり分離したりするものであり、前記支持部材の係合端部が前記開口の直ぐ内側に位置しており、前記落下錠剤案内部材を前記開口から前記筐体内へ差し込みながら前記落下錠剤案内部材を前記支持部材に対し摺動させて係合させられるようになっており、前記錠剤裁断刃と前記刃進退部材とが摺動にて係合したり分離したりするものであってその摺動方向の先に前記開口が位置しており、前記錠剤裁断刃を前記開口から前記筐体内へ差し込んでから前記錠剤裁断刃を前記刃進退部材に対し摺動させて係合させられるようになっており、さらに、前記落下錠剤案内部材の摺動方向と前記刃の摺動方向とが平行になっている。
【０００４】
また、錠剤裁断刃交換治具は、上述した錠剤分割装置の裁断機構の刃進退部材に錠剤裁断刃を取り付けたり取り外したりするときだけ、錠剤分割装置の前記支持部材に対し前記落下錠剤案内部材に代えて一時的に挿抜されるものであって、錠剤裁断刃を錠剤分割装置に取り付けるための取付用治具と、錠剤裁断刃を錠剤分割装置から取り外すための取外用治具とに分かれている。何れも、前記落下錠剤案内部材に代えて前記支持部材に対して摺動にて係合させたり分離させたりしうる板状の治具本体部と、前記治具本体部に装着されていて前記錠剤裁断刃を保持しうる刃保持部とを具備したものであるが、両治具のうち取外用治具は、前記支持部材に前記治具本体部を係合させると前記刃進退部材に装着されている前記錠剤裁断刃を前記刃保持部が捕捉し更に前記支持部材から前記治具本体部を外すと前記錠剤裁断刃が前記刃進退部材から外れるようになっている。
【０００５】
また、両治具のうち取付用治具は、前記錠剤裁断刃を前記刃保持部に保持させて前記治具本体部を前記支持部材に係合させると前記錠剤裁断刃が前記刃進退部材に係合して装着され更に前記治具本体部を前記支持部材から外すと前記刃が前記刃保持部から外れるようになっている。
このような２種類の錠剤裁断刃交換治具を用いることにより、錠剤分割装置に係る錠剤裁断刃の交換等が、錠剤裁断刃より持ちやすい板状体の挿抜にて容易かつ気軽に然も安全に、行えるようになっている。
【先行技術文献】
【特許文献】
【０００６】
【特許文献１】特開２０１３−０３９２３７号公報
【発明の概要】
【発明が解決しようとする課題】
【０００７】
しかしながら、従来の錠剤裁断刃交換治具は、取付用治具と取外用治具という２種の専用治具に分かれているため、両治具を錠剤裁断刃の交換までに予め揃えておかなければならないので、その分だけ刃交換の準備作業が煩わしかった。しかも、両治具について錠剤分割装置への錠剤裁断刃の着脱を錠剤分割装置への錠剤裁断刃交換治具の挿抜に随伴させることを重視したため、調剤現場で行われる錠剤分割装置に対する錠剤裁断刃の交換作業は容易になっているが、錠剤裁断刃交換治具に対する錠剤裁断刃の着脱を簡便かつ安全に行えるような着脱支援器具を持たない調剤現場では、例えば刃先の状態確認などのため錠剤分割装置から一時的に取り外した錠剤裁断刃を再装着するのが面倒であった。
そこで、錠剤裁断刃交換治具に対する錠剤裁断刃の着脱を調剤現場でも簡便に行える錠剤裁断刃交換治具を実現することが第１の技術課題となる。
【０００８】
また、従来の錠剤裁断刃交換治具では、板状の治具本体部に切込が形成されていて、その切込の中に錠剤裁断刃の刃先が収まるようになっているため、錠剤裁断刃を錠剤裁断刃交換治具から離脱させないと刃先の状態確認や清掃が遣り難かった。この点についても、錠剤裁断刃交換治具に対する錠剤裁断刃の着脱を調剤現場でも簡便に行えるようになれば、それなりに改善されると言える。
しかしながら、刃先の状態確認や清掃などの作業は、刃先さえ露出していれば、小さくて持ちにくい錠剤裁断刃を直に手にして行うより、大きくて持ちやすい錠剤裁断刃交換治具に錠剤裁断刃を取り付けたまま行う方が、楽なばかりか安全である。
そこで、錠剤裁断刃を取り外さなくても刃先を露出させうる錠剤裁断刃交換治具を実現することが第２の技術課題となる。
【課題を解決するための手段】
【０００９】
本発明の錠剤裁断刃交換治具は（解決手段１）、上述した第１技術課題を解決するために創案されたものであり、
錠剤落下経路の形成された板状の落下錠剤案内部材とその支持部材とが摺動にて係合・分離するとともに、その摺動と平行な摺動にて錠剤裁断刃とそれを保持する刃進退部材とが係合・分離するようになっており、更に、前記支持部材と前記刃進退部材とを内部に収めている筐体のうち前記両摺動方向の先には前記落下錠剤案内部材と前記錠剤裁断刃とを同時に通過させうる開口が形成されている錠剤分割装置に係る錠剤裁断刃着脱作業を支援するための錠剤裁断刃交換治具であって、前記錠剤裁断刃を前記刃進退部材に対して摺動させうる状態で挿入しうる切込が形成されている板状体を具備しており且つ前記落下錠剤案内部材に代えて前記支持部材に対して摺動にて係合させたり分離させたりしうる治具本体部と、前記切込に前記錠剤裁断刃を留め置く刃保持部材と、その留置の継続と解除とを手動操作に応じて切り替える操作部材と、その切替後の状態を留置継続側でも留置解除側でも持続させようとする付勢部材とを備えていることを特徴とする。
【００１０】
また、本発明の錠剤裁断刃交換治具は（解決手段２）、上述した第１技術課題に加えて第２技術課題をも解決するために創案されたものであり、上記解決手段１の錠剤裁断刃交換治具であって、前記板状体が二枚開閉可能な状態で前記治具本体部に具備されており、その二枚の閉時の内向面に刃先を向けて前記錠剤裁断刃が前記板状体に保持されるようになっていることを特徴とする。
【発明の効果】
【００１１】
このような本発明の錠剤裁断刃交換治具は（解決手段１）、錠剤分割装置の錠剤裁断刃の交換時など一時的に落下錠剤案内部材を抜いた錠剤分割装置に挿抜して使用されるが、錠剤裁断刃を治具本体部に留め置くときもその留置を解除するときも手動操作にて状態切替が簡便に行えるうえ、手動操作後は留置継続側か留置解除側に付勢されて双安定状態で切替後の状態が維持される。これにより、錠剤裁断刃交換治具と錠剤分割装置との間で行われる錠剤裁断刃の受け渡しばかりか、錠剤裁断刃交換治具に対する錠剤裁断刃の着脱までも、錠剤裁断刃の留置状態を手動操作で切り替えれば、調剤現場でも簡便に行える。しかも、その際、錠剤裁断刃の取り付けと取り外しとで別の錠剤裁断刃交換治具を使用するのか同じ錠剤裁断刃交換治具を使用するのかが任意に選択できることとなる。
したがって、この発明によれば、錠剤裁断刃交換治具に対する錠剤裁断刃の着脱を調剤現場でも簡便に行えるばかりか着脱双方に同一の錠剤裁断刃交換治具を共用しうる錠剤裁断刃交換治具を実現することができる。
【００１２】
また、本発明の錠剤裁断刃交換治具にあっては（解決手段２）、二枚の板状体を閉じれば、錠剤裁断刃の刃先が板状体同士の合わせ面である内向面のところに隠れるので、錠剤裁断刃の刃先が汚れ難くなるとともに、錠剤裁断刃を装着した治具本体部の取り扱いが安全なものとなる。これに対し、二枚の板状体を開けば、板状体同士の合わせ面すなわち閉時の内向面が露出し、それに随伴して錠剤裁断刃の刃先が露出するので、錠剤裁断刃を治具本体部から取り外さなくても錠剤裁断刃の刃先を露出させることができる。しかも、その際、操作部材を留置継続状態のままにしておくだけで、錠剤裁断刃が板状体に留置され続けるので、錠剤裁断刃より大きくて手に馴染む治具本体部を手で持つことで、錠剤裁断刃の刃先の状態視認や清掃などを容易かつ安全に行うことができる。
【図面の簡単な説明】
【００１３】
【図１】本発明の実施例１について、錠剤裁断刃交換治具とその使用先の錠剤分割装置との構造を示し、（ａ）が錠剤分割装置の外観斜視図、（ｂ）が錠剤分割装置の右側面図、（ｃ）が蓋を開けた錠剤分割装置の外観斜視図、（ｄ）が錠剤裁断刃交換治具と錠剤分割装置との外観斜視図である。
【図２】錠剤分割装置の要部構造を示し、（ａ）が落下錠剤案内部材と受止部材の外観斜視図、（ｂ）が保持機構の外観斜視図、（ｃ）が保持機構を本体部から取り外したところ又は本体部に取り付けようとしているところの外観斜視図、（ｄ）が本体部に取り付けられた保持機構と裁断機構の外観斜視図である。
【図３】錠剤裁断刃交換治具を用いて錠剤分割装置に着脱される錠剤裁断刃の構造を示し、（ａ）が錠剤裁断刃の正面図、（ｂ）が錠剤裁断刃の右側面図、（ｃ）が錠剤裁断刃の平面図、（ｄ）が錠剤裁断刃の外観斜視図である。
【図４】錠剤裁断刃交換治具の刃保持部等の構造を示し、（ａ）が刃保持部周辺の外観斜視図、（ｂ）〜（ｄ）が錠剤裁断刃交換治具の刃保持部周辺の外観と錠剤裁断刃の刃先部の断面との正面図である。
【図５】錠剤裁断刃交換治具の詳細構造を示し、（ａ）が刃留置解除状態の正面図、（ｂ）が刃留置継続状態の正面図、（ｃ）が二枚の板状体を開いて内向面を露出させた状態の正面図である。
【発明を実施するための形態】
【００１４】
このような本発明の錠剤裁断刃交換治具について、これを実施するための具体的な形態を、以下の実施例１により説明する。
図１〜図５に示した実施例１は、上述した解決手段１〜２（出願当初の請求項１〜２）を総て具現化したものである。
なお、それらの図示に際しては、簡明化等のため、ボルト等の締結具や，電動モータ等の駆動源，ギヤ等の伝動部材，モータドライバ等の電気回路，コントローラ等の電子回路の詳細などは図示を割愛し、発明の説明に必要なものや関連するものを中心に図示した。
【実施例１】
【００１５】
先ず、本発明の錠剤裁断刃交換治具の実施例を説明する前に、それが使用される錠剤分割装置２０及び錠剤裁断刃４１について、公知であるが（特許文献１参照）、本発明の錠剤裁断刃交換治具と密接に関係しているので、図１〜図３を引用して具体的な構成を説明する。図１は、（ａ）が錠剤分割装置２０の外観斜視図、（ｂ）が錠剤分割装置２０の右側面図、（ｃ）が蓋５１を開けた錠剤分割装置２０の外観斜視図である。
【００１６】
また、図２は、（ａ）が受止部材３４を装備した落下錠剤案内部材３１の外観斜視図、（ｂ）が落下錠剤案内部材３１に固定覆板３６や溝深規定部材３７も装備した保持機構３０の外観斜視図、（ｃ）が保持機構３０を本体部２４から取り外したところ又は本体部２４に取り付けようとしているところの外観斜視図、（ｄ）が本体部２４に取り付けられた保持機構３０と裁断機構４０の外観斜視図である。
さらに、図３は、（ａ）が錠剤裁断刃４１の正面図、（ｂ）が錠剤裁断刃４１の右側面図、（ｃ）が錠剤裁断刃４１の平面図、（ｄ）が錠剤裁断刃４１の外観斜視図である。
【００１７】
この錠剤分割装置２０は（図１（ａ），（ｂ）参照）、錠剤分割機能を単体で担う基本部分として、錠剤カセット２１と操作部２２と制御装置２３と本体部２４と受器２５と中継部２６と錠剤フィーダベース部２７と支持部材２８と保持機構３０と裁断機構４０と図示しない電源部とを具えているが、そのうち制御装置２３と中継部２６と支持部材２８と保持機構３０と裁断機構４０と電源部は本体部２４の筐体の内部に収められており、操作部２２と錠剤フィーダベース部２７は本体部２４に固定的に装着されて操作面やカセット装着面を筐体外面に露出している。また、錠剤カセット２１は錠剤フィーダベース部２７に着脱自在に装着され、受器２５は本体部２４の底部の前面開口から引き出し自在に挿着されるようになっている。
【００１８】
本体部２４は（図１（ｂ）参照）、最上部の蓋５１の上に錠剤フィーダベース部２７が固定的に配置され、筐体内の前後方向中央部には支持部材２８が鉛直な姿勢で固定配置され、やはり筐体内で支持部材２８の下部の手前には中継部２６が固定配置され、更にその下方には受器２５が筐体から出し入れできるようになっている。
また、本体部２４の筐体内の中央部では、保持機構３０と裁断機構４０が支持部材２８又は他の支持部材に取り付けられていて（図１（ｂ），（ｃ）参照）、そのうち保持機構３０は支持部材２８と同じ鉛直の姿勢をとり、裁断機構４０は保持機構３０と垂直な水平の姿勢をとっている。
【００１９】
さらに、本体部２４の筐体の上端の天板部は、開閉しうる蓋５１になっており、錠剤分割を行う常態では閉じているが（図１（ａ），（ｂ）参照）、互いの刃先を近づけて向き合っている二つの錠剤裁断刃４１，４１である対向刃４１，４１を片方か両方纏めて交換や刃先の確認・清掃をするとき等には、ロック５２を解除してヒンジ５３を中心に蓋５１を後方へ回転させると、開口５４が露呈するようになっている（図１（ｃ），（ｄ）参照）。この開口５４は、本体部２４の上端面の大部分を占めており、後述する保持機構３０の落下錠剤案内部材３１と裁断機構４０の対向刃４１，４１とを個々に通過させることができるのはもとより、落下錠剤案内部材３１と対向刃４１，４１とを纏めて一緒に開口５４から本体部２４の筐体へ出し入れできるほど広いものとなっている。
【００２０】
支持部材２８は（図１（ｂ）〜（ｄ）参照）、二本の柱状部材からなり、何れも鉛直な姿勢で立設されて本体部２４の筐体の内底から上部に至り、凸部２８ａを内向き・対向面側にして左右に並んで平行になっており、蓋５１を開けると（図１（ｃ），（ｄ）参照）、開口５４の直下に支持部材２８の上端が露呈するようになっている。凸部２８ａは、後述する保持機構３０の落下錠剤案内部材３１の凹部３８と錠剤裁断刃交換治具６０の治具本体部６１の凹部６２との何れに対しても摺動にて係合したり分離したりする摺動係合部であり、支持部材２８の上端から下端まで又は下端近くまで形成されている。
このような凸部２８ａを持つ支持部材２８は、その係合端部が開口５４の直ぐ内側に位置しているものとなっている。
【００２１】
錠剤フィーダベース部２７とそれに装着された錠剤カセット２１は（図１（ａ），（ｂ）参照）、錠剤１０の逐次供給を自動で行うためのものであり、制御装置２３の制御に従って錠剤フィーダベース部２７の駆動モータが動作すると、ベース板に装着された錠剤カセット２１から錠剤１０を一錠ずつ排出させ、それを導入口やダクトといったガイド経由で保持機構３０の錠剤落下経路３２の上流部分経路へ上端から送り込むようになっている（図１（ｃ），図２（ｄ）参照）。
【００２２】
保持機構３０は（図１（ｂ），（ｃ），図２参照）、錠剤カセット２１から錠剤フィーダベース部２７及びガイド経由で落下して錠剤落下経路３２の上流部分に入って来た分割対象の錠剤１０を受止部材３４にて裁断位置３３に一時保持するものであり、裁断機構４０は（図１（ｂ），（ｃ），図２参照）、その錠剤１０を裁断位置３３のスリット３５のところで裁断して二個の錠剤裁断片１１，１１に分割するものである（図２（ｄ）参照）。中継部２６は（図１（ｂ）参照）、収集用ガイドや緩衝用バッファを具備していて、保持機構３０の錠剤落下経路３２の下流部分から落下した錠剤裁断片１１を受器２５へ送り込むようになっている。
【００２３】
受器２５は（図１（ａ）〜（ｃ）参照）、錠剤１０を分割して出来た錠剤裁断片１１，１１を受け入れて貯めておく角箱状や角皿状の容器である。
この受器２５やそれに錠剤裁断片１１，１１を導く中継部２６などは、本体部２４から分離可能なユニットにしても良いが、この例では装置運搬の容易化等のため一体的になっている。操作部２２や制御装置２３も別体化しても良いが、やはり本例では装置運搬の容易化等のため本体部２４と一体化されている。
【００２４】
保持機構３０は（図１（ｂ），（ｃ），図２参照）、上述したように分割対象の錠剤１０を裁断機構４０による裁断に備えて錠剤落下経路３２の途中の裁断位置３３に止めておくことに加え、裁断機構４０と協動して保持機構３０による錠剤保持を解除することも行うために、錠剤フィーダベース部２７と中継部２６との間に配置された板状の落下錠剤案内部材３１と、それぞれ上端部を支点にして下端部を揺動しうる可動部材からなる一対の受止部材３４とを具えている。受止部材３４は、錠剤落下経路３２を開閉するために、錠剤落下経路３２に収められて落下錠剤案内部材３１に装着されている。
【００２５】
また、この保持機構３０は（図２参照）、錠剤落下経路３２の上流部分を落下する錠剤１０の姿勢・向きを整えるために、錠剤落下経路３２の上流部分に入り込んでそこを覆う溝深規定部材３７と（図２（ｂ）参照）、それを移動させて錠剤落下経路３２の厚みを調整する図示しない厚み調整機構とを具備している。さらに、錠剤落下経路３２の下流部分から錠剤裁断片１１，１１が零れるのを防ぐために、落下錠剤案内部材３１の下半分の表面・前面を覆う固定覆板３６を具備している（なお、図２（ｂ）〜（ｄ）では固定覆板３６を透明な部材として透視状態の錠剤落下経路３２と共に表示している）。
【００２６】
落下錠剤案内部材３１は（図２（ａ），（ｂ）参照）、鉛直な厚めの板体からなり、上述したように左右両端面の凹部３８の下端を支持部材２８の凸部２８ａの上端に合わせて開口５４から本体部２４に差し込むと（図２（ｃ）参照）、支持部材２８と摺動にて係合して、本体部２４の前面板や後背面とほぼ平行な鉛直状態で本体部２４の内部に立設状態で固定されるようになっている（図１（ｂ），（ｃ）参照）。
すなわち、落下錠剤案内部材３１をそれを本体部２４の筐体内で支持する支持部材２８とが摺動にて係合したり分離したりするものであって、落下錠剤案内部材３１を開口５４から本体部２４の筐体内へ差し込みながら落下錠剤案内部材３１を支持部材２８に対し摺動させて係合させることができるようになっている。
【００２７】
このような落下錠剤案内部材３１の両面（表裏面・前後面）のうち前向きの表面には、落下する錠剤１０を案内する錠剤落下経路３２が形成されている（図２（ａ）参照）。
錠剤落下経路３２は（図２（ａ）参照）、落下錠剤案内部材３１の表面に彫り込みやプレス等で溝状に形成されて、落下錠剤案内部材３１の上端から下端まで連なっている。錠剤落下経路３２の途中に設定された裁断位置３３には、裁断機構４０の刃先を通すためのスリット３５が、落下錠剤案内部材３１を貫通して穿孔形成されている。
【００２８】
錠剤落下経路３２のうち裁断位置３３より上流の部分は、分割前の錠剤１０を一錠ずつ通過させれば良いので比較的細いが、錠剤落下経路３２の下流側部分は、裁断位置３３の直下で、より具体的には裁断位置３３の中央のスリット３５の直下のところで、幅が広がっている（図２（ａ）参照）。
受止部材３４は、その裁断位置３３の直下の幅広経路に設けられており、この例では左右に対峙する一対のものが設けられており、それが制御装置２３の制御に従って揺動することにより、裁断位置３３の直下で錠剤落下経路３２を開閉するようになっている。
【００２９】
本例の錠剤分割装置２０は円板状の錠剤１０を左右均等に二分割するためのものであり、受止部材３４は、その錠剤分割に際して、錠剤落下経路３２の上流部分を下ってきた分割対象の錠剤１０を錠剤落下経路３２の途中の裁断位置３３に経路開閉にて一時保持するためのものなので、スリット３５が裁断位置３３の中央で縦に形成されるとともに、一対の受止部材３４がスリット３５を中心にして左右対称に配置されている（図２（ａ）参照）。一対の受止部材３４は、錠剤１０を裁断位置３３に一時保持するときには、下端部同士を近づけてＶ字状になって裁断位置３３及びスリット３５の直ぐ下方で錠剤落下経路３２を閉じ（図２（ｂ）参照）、錠剤１０を分割した錠剤裁断片１１，１１を落下させるときには、同時に開側へ揺動するようになっている（図２（ｄ）参照）。
【００３０】
裁断機構４０は（図１（ｂ），（ｃ），図２（ｃ），（ｄ）参照）、裁断位置３３に向けて進退する手前（前側）の錠剤裁断刃４１と後方（奥側）の錠剤裁断刃４１とからなる裁断用の対向刃４１，４１を具備しており、その対向刃４１，４１の対向間隙を拡縮させて裁断位置３３の錠剤１０を前後から挟んでから更に切り込むことにより左右へ均等に裁断して二個の錠剤裁断片１１，１１にするものである。前側の錠剤裁断刃４１は、図示しない高剛性のロッド・スリーブ嵌合タイプの門形支持機構に取着されていて往復動する前刃進退部材４３（刃進退部材）によって裁断位置３３のスリット３５の前方に支持されており、制御装置２３の制御に従って後方のスリット３５に向けて進退するようになっている。奥側の錠剤裁断刃４１は、落下錠剤案内部材３１の裏面で往復動する奥刃進退部材４４（刃進退部材）によって支持されており、制御装置２３の制御に従ってスリット３５を通過しながら裁断位置３３の錠剤１０に向けて前方へ進退するようになっている。
【００３１】
錠剤裁断刃４１は（図３参照）、錠剤１０に切り込むための刃先部４１ａと、この刃先部４１ａを刃進退部材４３，４４に装着させるための刃元部４１ｂとからなるが、後者の刃元部４１ｂには、上下に延びていて下端部にはテーパ部４１ｃを形成された凸部４１ｄが左右両側端に設けられており、この凸部４１ｄの下端を刃進退部材４３，４４の凹部の上端に合わせて錠剤裁断刃４１をそのままの姿勢で真っ直ぐ下降させると、錠剤裁断刃４１と刃進退部材４３，４４とが摺動にて係合するようになっている。また、刃進退部材４３，４４が固定されていることを前提として、それに係合している錠剤裁断刃４１をそのままの姿勢で真っ直ぐ上昇させると、錠剤裁断刃４１と刃進退部材４３，４４とが摺動にて分離するようになっている。
【００３２】
さらに（図３参照）、錠剤裁断刃４１の刃元部４１ｂには、刃進退部材４３，４４に装着した状態で露出している部分に、上下に延びた凹部４１ｅが形成されており、それを後で詳述する錠剤裁断刃交換治具６０の刃保持部６４の凸部６６に合わせると、錠剤裁断刃交換治具６０と摺動にて結合したり分離したりするようになっている。すなわち、錠剤裁断刃４１は、刃進退部材４３，４４とも錠剤裁断刃交換治具６０とも摺動にて結合したり分離したりするものとなっている。
【００３３】
また、前刃進退部材４３に対する錠剤裁断刃４１の摺動方向も、奥刃進退部材４４に対する摺動方向も、支持部材２８に対する落下錠剤案内部材３１の摺動方向と平行になっているうえ、それら三つの摺動方向の先に開口５４が位置している。そして、片方の錠剤裁断刃４１だけでも、二枚の錠剤裁断刃４１，４１からなる対向刃４１，４１が一緒でも、さらには落下錠剤案内部材３１に代わる錠剤裁断刃交換治具６０と対向刃４１，４１とが一緒でも、開口５４から本体部２４の筐体内へ差し込んでから錠剤裁断刃４１，４１を刃進退部材４３，４４に対し摺動させて係合させることができる。逆の分離も開口５４からできるようになっている。
【００３４】
制御装置２３は、詳細な図示は割愛したが（図１（ｂ）参照）、例えばプログラマブルなマイクロプロセッサシステムやシーケンサからなる電子制御装置であり、錠剤１０の逐次供給と裁断とを的確に行うよう、錠剤フィーダベース部２７と保持機構３０と裁断機構４０とを協動させるために、それぞれの電動モータ等の動作制御を行うようになっている。また、錠剤１０の厚さデータを予め取得して或いは落下投入された錠剤１０の落下状況に応じて溝深規定部材３７の位置を錠剤１０の厚さに適合させるようにもなっている。
【００３５】
次に、本発明の錠剤裁断刃交換治具の実施例１について、その具体的な構成を、図面を引用して説明する。図１（ｄ）は、錠剤裁断刃交換治具６０の外観斜視図である。また、図４は、（ａ）が錠剤裁断刃交換治具６０の刃保持部６４及びその周辺の外観斜視図、（ｂ）〜（ｄ）が刃保持部６４の外観と錠剤裁断刃４１の刃先部４１ａの断面とに係る正面図である。さらに、図５は、（ａ）が刃留置解除状態の錠剤裁断刃交換治具６０の正面図、（ｂ）が刃留置継続状態の錠剤裁断刃交換治具６０の正面図、（ｃ）が二枚の板状体６１ａ，６１ｂを開いて内向面を露出させた錠剤裁断刃交換治具６０の正面図である。
【００３６】
錠剤裁断刃交換治具６０は、錠剤分割装置２０の本体部２４の筐体内の刃進退部材４３，４４に対向刃４１，４１を取り付けたり取り外したりするときに使用される治具なので（図１（ｄ）参照）、落下錠剤案内部材３１と横幅の等しい板状の治具本体部６１を具備するとともに（図１（ｄ），図４（ａ）参照）、それに取り付けられた刃保持部６４と止めネジ７１と操作部材７２と付勢部材７３とガイド７４とを具備している（図５参照）。治具本体部６１の左右両端面には、上述した落下錠剤案内部材３１の凹部３８と同様の凹部６２が形成されているので、治具本体部６１は、落下錠剤案内部材３１に代えて支持部材２８に対して摺動にて係合させたり分離させたりしうるものとなっている。
【００３７】
治具本体部６１は（図１（ｄ），図４（ａ），図５参照）、ほぼ面対称形になっている二枚の板状体６１ａ，６１ｂと、それらを繋ぐ連結部６１ｃとを具備していて、連結部６１ｃの所を軸にして二枚の板状体６１ａ，６１ｂが蝶番のように開閉しうるようになっている。しかも、二枚の板状体６１ａ，６１ｂの非連結側を止めネジ７１で締結すると閉状態が維持され（図１（ｄ），図４（ａ），図５（ａ），（ｂ）参照）、止めネジ７１を緩めると板状体６１ａ，６１ｂが開閉可能になるものである（図５（ｃ）参照）。そのため、上述した凹部６２は（図１（ｄ），図４（ａ）参照）、一つが連結部６１ｃのうち板状体６１ａ，６１ｂから遠い端面に形成され、もう一つは、板状体６１ａ，６１ｂに半分ずつ形成されて、二枚の板状体６１ａ，６１ｂを閉じると、連結部６１ｃから遠い端面に現われるようになっている。
【００３８】
これらの板状体６１ａ，６１ｂには（図４，図５参照）、何れの下端部にも、錠剤裁断刃４１の刃先部４１ａを挿入しうる切込６３が形成されており、そこに挿入された刃先部４１ａに留置部材６７の掛止端部６８を掛けて上に引くことにより錠剤裁断刃４１を留め置くようになっている刃保持部６４も、板状体６１ａ，６１ｂが二枚設けられているのに対応して、二個設けられており、前側の錠剤裁断刃４１を着脱するために治具本体部６１の表面側の板状体６１ａに装着されたものだけを図示したが（図１（ｄ），図４（ａ），図５（ａ），（ｂ）参照）、奥側の錠剤裁断刃４１を着脱するために治具本体部６１の裏面側の板状体６１ｂに装着された不図示のものも存在している。
【００３９】
また、二枚の板状体６１ａ，６１ｂは、刃保持部６４にて錠剤裁断刃４１を保持する際（図１（ｄ），図４，図５参照）、その二枚が閉じられたときに内向面（合わせ面）になる方に錠剤裁断刃４１の刃先を向けるとともに、外側に刃元部４１ｂを出させた状態で、刃先部４１ａを切込６３の中に留め置くようになっているが、板状体６１ａ，６１ｂそれぞれの内向面のうち切込６３の周辺部が少し彫り込まれて彫込６３ａが形成されているので（図４（ａ），図５（ｃ）参照）、留置した刃先部４１ａの最先端部分すなわち錠剤裁断刃４１の刃先が内向面の彫込６３ａの中で視認・清掃可能な程度は露出するようにもなっている。
【００４０】
さらに（図１（ｄ），図５（ｂ）参照）、板状体６１ａ，６１ｂの切込６３に刃先部４１ａを挿入係止された錠剤裁断刃４１はその摺動係合部である凸部４１ｄが治具本体部６１の摺動係合部である凹部６２と平行になるため、上述したように治具本体部６１を支持部材２８に摺動にて係合させるとそれに随伴して対向刃４１，４１（錠剤裁断刃）も前刃進退部材４３や奥刃進退部材４４と摺動にて係合するので、二枚の板状体６１ａ，６１ｂは、何れも、錠剤裁断刃４１を刃進退部材４３，４４に対して摺動させうる状態で挿入しうる切込６３が形成されたものとなっている。
【００４１】
また（図１（ｄ），図５参照）、二枚の板状体６１ａ，６１ｂは、何れも、上述した刃保持部６４及び切込６３の所に掛止端部６８が配された留置部材６７に加えて、留置部材６７による錠剤裁断刃４１の留置継続と留置解除とを手動操作に応じて切り替える操作部材７２と、その切替後の状態を留置継続側でも留置解除側でも持続させようとする付勢部材７３と、その切替時に掛止端部６８を留置継続側位置から留置解除側位置へ又はその逆へ案内するガイド７４も、別個に具備しているので、各部材６７，７２〜７４とそれらの連携とについて述べる。
【００４２】
留置部材６７は（図４，図５参照）、針金状の細い弾性体から曲げ加工にて作られたものであって、上端部が操作部材７２の中央部に係合させられており、下端部が鋭角に曲がった掛止端部６８になっている。しかも、留置部材６７は、中間部がほぼ直角に二度曲がったクランク状になっているので、そこに装着された付勢部材７３の下端と曲げ部とが当接し合って付勢部材７３の作用を受けつつ付勢部材７３の保持に寄与するとともに、上端から下端までの長さについて錠剤裁断刃４１の留置に必要とされる適度な伸縮性を示すものとなっている。
【００４３】
操作部材７２は（図１（ｄ），図５参照）、平紐状の細長い板状体の上端を曲げたものを主体とし、そのほぼ中央に摺動ピン７２ａを取り付けるとともに、下端部に摺動ピン７２ｂを取り付けたものからなり、摺動ピン７２ａが板状体６１ａ，６１ｂの縦長貫通穴に摺動可能に挿入されるとともに、摺動ピン７２ｂが板状体６１ａ，６１ｂの上記の縦長貫通穴より下方の横長貫通穴に摺動可能に挿入されて、上端部を上に突き出した状態で板状体６１ａ，６１ｂに装着されている。横長貫通穴の位置が刃留置解除側の右側に偏っていて、横長貫通穴は右端の方が左端よりも縦長貫通穴から遠くへ離れている。そのため、操作部材７２の上端を手動で刃留置解除側の左へ倒すと（図５（ａ）参照）、摺動ピン７２ｂが右へ移動し、操作部材７２が大きく傾斜して、摺動ピン７２ａが低位置まで下がる。これに対し（図５（ｂ）参照）、操作部材７２の上端を刃留置継続側の右へ倒すと、摺動ピン７２ｂが左へ移動し、操作部材７２が少しだけ傾斜して、摺動ピン７２ａが比較的高い位置にとどまるようになっている。
【００４４】
付勢部材７３は（図５参照）、コイルバネ等の弾性体からなり、バネ感度が留置部材６７の長手方向バネ感度より小さく、長さも留置部材６７より短くて、上端が板状体６１ａ，６１ｂの段差等に当接していて、常時圧縮されているので、その弾撥力にて留置部材６７を何時も下方へ付勢するものとなっている。そして、そのような留置部材６７の上端部が操作部材７２の中央部に係合させられているため、操作部材７２には、刃留置継続状態でも、刃留置解除状態でも、その二つの状態それぞれの最大傾斜を保つ向きに、付勢力が作用するようになっている。
【００４５】
ガイド７４は（図５参照）、切込６３の脇に設けられた案内部材であり、この部材７４と切込６３との間に留置部材６７の下部が来ていて、留置部材６７の移動を案内するものであるが、この部材７４の側面が留置部材６７の下部の曲りに対応して曲がっていて、留置部材６７が下降すると留置部材６７の掛止端部６８を切込６３から外させ、留置部材６７が上昇すると留置部材６７の掛止端部６８を切込６３の上に進ませる。
そのため、錠剤裁断刃交換治具６０は、操作部材７２を刃留置解除側に倒せば（図５（ａ）参照）、切込６３が刃先部４１ａの出入可能な刃留置解除状態になり（図４（ｂ），（ｃ）参照）、操作部材７２を刃留置継続側に倒せば（図５（ｂ），（ｃ）参照）、切込６３が刃先部４１ａを捕捉して留め置く刃留置継続状態になる（図４（ｄ）参照）。
【００４６】
この実施例１の錠剤裁断刃交換治具６０について、その使用態様及び動作を、図面を引用して説明する。図１（ｄ）は、錠剤分割装置２０に抜き差しする直前の又は抜き差しした直後の錠剤裁断刃交換治具６０が錠剤裁断刃４１を保持している状態を示しており、図４（ｂ）及び図５（ａ）は刃留置解除状態の錠剤裁断刃交換治具６０を示し、図４（ａ），（ｃ）は刃留置解除状態と刃留置継続状態との切替途中状態を示し、図４（ｄ）及び図５（ｂ）は、刃留置継続状態の錠剤裁断刃交換治具６０を示し、図５（ｃ）は刃留置継続状態の裁断刃交換治具６０の板状体６１ａ，６１ｂを開けた開状態を示している。
【００４７】
錠剤分割装置２０の錠剤裁断動作等は公知であり（特許文献１参照）、そのような錠剤裁断が行われていないときの錠剤分割装置２０に対して錠剤裁断刃交換治具６０が使用されるので、錠剤分割装置２０の動作説明は割愛し、ここでは、錠剤裁断刃交換治具６０に錠剤裁断刃４１を着脱するときと、錠剤裁断刃交換治具６０と錠剤分割装置２０とに錠剤裁断刃４１を遣り取りさせるときと、錠剤裁断刃４１を錠剤裁断刃交換治具６０に保持させたままで錠剤裁断刃４１の刃先を目視確認や清掃するときとについて説明する。
【００４８】
先ず、錠剤裁断刃交換治具６０への錠剤裁断刃４１の着脱であるが、これは錠剤分割装置２０の稼働を妨げることなく錠剤分割装置２０とは別個に行うことができる。
錠剤裁断刃４１を錠剤裁断刃交換治具６０に取り付けるときは、空の錠剤裁断刃交換治具６０について、二枚の板状体６１ａ，６１ｂを止めネジ７１で閉状態に固定しておくとともに、何れの操作部材７２，７２も手動操作にて刃留置解除側に倒しておく（図５（ａ）参照）。この刃留置解除状態では、板状体６１ａ，６１ｂの何れでも留置部材６７が下降して掛止端部６８が切込６３から外れており（図４（ｂ），図５（ａ）参照）、操作部材７２を操作しなければ、その状態が付勢部材７３の力によって安定維持される。
【００４９】
そして、錠剤裁断刃４１の安全な刃元部４１ｂを摘んで刃先部４１ａを二枚の板状体６１ａ，６１ｂの何れか一方たとえば板状体６１ａの切込６３に挿入する（図４（ｃ）参照）。そうすると自然に錠剤裁断刃４１の危険な刃先が内向面を向いて彫込６３ａに収まるので、それから、板状体６１ａの操作部材７２を刃留置継続側に倒す（図５（ｂ）参照）。これによって、板状体６１ａについては留置部材６７が上昇して掛止端部６８が切込６３の上に進んで錠剤裁断刃４１の刃先部４１ａの下端に掛かって刃先部４１ａを切込６３の上部へ引き上げるので錠剤裁断刃４１が刃保持部６４に保持される（図４（ｄ），図５（ｂ）参照）。二枚の板状体の他方の板状体６１ｂについても同様のことを行う。また、錠剤裁断刃４１を錠剤裁断刃交換治具６０から取り外すときは、逆順のことを行う。
【００５０】
次に、錠剤裁断刃交換治具６０と錠剤分割装置２０との間での錠剤裁断刃４１の受け渡しについて述べる。例えば使用中の錠剤分割装置２０の対向刃４１，４１の刃先が消耗したときなどには対向刃４１，４１を交換することになるが、その作業では、錠剤分割装置２０から保持機構３０を取り外し（図１（ｃ），図２（ｃ）参照）、そこへ空の錠剤裁断刃交換治具６０を抜き差しして（図１（ｄ）参照）、旧い対向刃４１，４１を裁断機構４０から取り外し（図４（ｂ），（ｃ），（ｄ）参照）、それから対向刃４１，４１装着済みの錠剤裁断刃交換治具６０を抜き差しして（図１（ｄ）参照）、新しい対向刃４１，４１を裁断機構４０に装着し（図４（ｄ），（ｃ），（ｂ）参照）、最後に保持機構３０を戻すことで（図２（ｃ），図１（ｃ）参照）、簡便に行うことができる。
【００５１】
詳述すると、二つ以上の錠剤裁断刃交換治具６０が使用できる場合は、一つは空のまま取り外し用に割り当て、もう一つの錠剤裁断刃交換治具６０には、上述のようにして新しい錠剤裁断刃４１を取り付けて、取り付け用に割り当てる。その際、錠剤裁断刃４１は必要に応じて二枚の板状体６１ａ，６１ｂの双方または何れか片方に取り付けておくが、ここでは対向刃（錠剤裁断刃）４１，４１を纏めて装着するので双方に取り付けるものとする（図５（ｂ）参照）。なお、錠剤裁断刃交換治具６０が一つしか使用できない場合は、空のまま取り外し用に割り当て、錠剤分割装置２０から対向刃４１，４１を取り外した後で新旧の対向刃４１，４１を付け替えて同じ錠剤裁断刃交換治具６０を取り付け用に再利用すれば良い。ここでは、二つの錠剤裁断刃交換治具６０が使用できる場合を述べる。
【００５２】
取り外し用の空の錠剤裁断刃交換治具６０と、新しい錠剤裁断刃４１を保持した取り付け用の錠剤裁断刃交換治具６０の準備ができたら、作業担当者は、錠剤分割装置２０についても準備する。具体的には、錠剤カセット２１から本体部２４への錠剤投入動作や裁断機構４０による錠剤裁断といった自動動作を操作部２２の操作等にて停止させてから、手作業で、錠剤カセット２１を錠剤フィーダベース部２７から取り外し、さらにロック５２を解除し、蓋５１を開けて、本体部２４の開口５４を露呈させる（図１（ｃ）参照）。さらに、その開口５４から落下錠剤案内部材３１の上端を手で引っ張って保持機構３０を抜き取る（図２（ｃ）参照）。これで総て（２０，６０，６０）の準備が整う。
【００５３】
それから、作業担当者が、空の錠剤裁断刃交換治具６０を持って（図５（ａ），図４（ｂ）参照）、落下錠剤案内部材３１を抜いた後の支持部材２８に対し錠剤裁断刃交換治具６０の治具本体部６１を差し込む。そうすると、錠剤分割装置２０の刃進退部材４３，４４に刃元部４１ｂ，４１ｂを保持されている錠剤裁断刃（対向刃）４１，４１の刃先部４１ａ，４１ａが錠剤裁断刃交換治具６０の切込６３，６３に収まる（図４（ｃ）参照）。
そこで、作業担当者が、操作部材７２，７２を手動操作して刃留置解除状態（図５（ａ）参照）から刃留置継続状態（図５（ｂ）参照）に切り替える。
【００５４】
すると、刃先部４１ａ，４１ａが切込６３，６３に捕捉されて（図４（ｄ）参照）、錠剤裁断刃４１，４１が刃保持部６４，６４に保持される。
後は、作業担当者が錠剤裁断刃交換治具６０を開口５４から抜き取ると、錠剤裁断刃交換治具６０と一緒に錠剤裁断刃４１，４１も本体部２４から出てくる（図１（ｄ）参照）。こうして、旧い対向刃４１，４１を錠剤分割装置２０から取り外したら、その旧い対向刃４１，４１は、錠剤裁断刃交換治具６０に装着した安全な状態のまま、或いは上述のようにして錠剤裁断刃交換治具６０から取り外してから、回収して、再生処理や廃棄処分など適宜な次工程に委ねることができる。
【００５５】
さらに、作業担当者が、新しい錠剤裁断刃（対向刃）４１，４１を予め保持させておいた取り付け用の錠剤裁断刃交換治具６０を手にして、取り外し用の錠剤裁断刃交換治具６０を抜いた後の錠剤分割装置２０の支持部材２８に対し、取り付け用の錠剤裁断刃交換治具６０を差し込む。そうすると、新しい錠剤裁断刃４１，４１は、刃先部４１ａが刃保持部６４，６４に保持されたまま（図４（ｄ）参照）、刃元部４１ｂが刃進退部材４３，４４と係合する。そこで、作業担当者が、操作部材７２，７２を手動操作して刃留置継続状態（図５（ｂ）参照）から刃留置解除状態（図５（ａ）参照）に切り替えると、新しい錠剤裁断刃４１，４１は、刃先部４１ａ，４１ａから留置部材６７の掛止端部６８が離れるので（図４（ｃ）参照）、刃保持部６４の捕捉が解かれる。
【００５６】
それから作業担当者が錠剤裁断刃交換治具６０を錠剤分割装置２０の開口５４から抜き取ると、新しい錠剤裁断刃４１，４１は、錠剤裁断刃交換治具６０から外れて（図４（ｂ）参照）、刃進退部材４３，４４に装着されたまま対向刃４１，４１となって本体部２４の中に残り、空になった錠剤裁断刃交換治具６０だけが錠剤分割装置２０の本体部２４から出てくる。こうして、新しい対向刃４１，４１の取付が済むので、その後は、作業担当者が、錠剤分割装置２０に対し、保持機構３０を支持部材２８に取り付けて（図２（ｃ）参照）、保持機構３０を本体部２４の中の所定位置に戻し（図１（ｃ）参照）、蓋５１を閉めてロック５２を掛け更に錠剤フィーダベース部２７に錠剤カセット２１を戻す（図１（ａ）参照）。これで錠剤分割装置２０の刃交換作業が総て完了するので、速やかに錠剤裁断を再開することができる。
【００５７】
最後に、錠剤裁断刃４１を錠剤裁断刃交換治具６０に保持させたままで錠剤裁断刃４１の刃先を目視確認や清掃する遣り方を説明する。
例えば、同じ錠剤分割装置２０で多数の錠剤１０を分割した後や、同じ錠剤分割装置２０で分割する錠剤１０の剤種が変更になったときなど、錠剤分割装置２０に装着されている対向刃（錠剤裁断刃）４１，４１の刃先を目視確認したり清掃したくなるが、そのようなときには、以下のようにして錠剤分割装置２０から対向刃４１，４１を抜いて戻す。
【００５８】
この場合、作業担当者は、空の錠剤裁断刃交換治具６０を一つ用意して（図５（ａ）参照）、上述した対向刃４１，４１の交換における前半部分と同じ手順で錠剤裁断刃交換治具６０を用いて錠剤分割装置２０から対向刃４１，４１を抜き取る（図５（ｂ）参照）。
それから、作業担当者は、閉状態の錠剤裁断刃交換治具６０の止めネジ７１を緩めて、二枚の板状体６１ａ，６１ｂを開く（図５（ｃ）参照）。
そうすると、二枚の板状体６１ａ，６１ｂの夫々の内向面の彫込６３ａの所に、対向刃４１，４１の刃先が露出する（図５（ｃ）の右側部分の拡大斜視図を参照）。
【００５９】
そこで、その刃先を、作業担当者は、目視で確認し、必要であれば清掃する。このような開状態でも対向刃４１，４１が板状体６１ａ，６１ｂに保持されているので、錠剤裁断刃（対向刃）４１より大きくて持ちやすい板状体を手にすることで、作業担当者が安全に作業を遂行することができる。
刃先の確認や清掃が済んだら、作業担当者は、二枚の板状体６１ａ，６１ｂを閉じて（図５（ｂ）参照）、止めネジ７１を締めて閉状態を固定する。それから、上述した対向刃４１，４１の交換における後半部分と同じ手順で錠剤裁断刃交換治具６０を用いて錠剤分割装置２０へ対向刃４１，４１を戻す。
こうして、対向刃４１，４１の確認や清掃も容易かつ安全に行うことができる。
【００６０】
［その他］
上記実施例では、錠剤裁断刃交換治具６０を使用することにより、錠剤分割装置２０に既に装着されている対向刃４１，４１を抜き差しする場合を説明したが、錠剤分割装置２０に初めて対向刃４１，４１を装着する場合は上述したことの後半部分と同様のことを行えば良く、錠剤分割装置２０から対向刃４１，４１を抜き去っておく場合は上述したことの前半部分と同様のことを行えば良い。
また、対向刃４１，４１のうち何れか一方の錠剤裁断刃４１だけを抜き差しする場合は、二枚の板状体６１ａ，６１ｂのうち該当する一方の板状体についてだけ、上述したことと同様のことを行えば良い。
【符号の説明】
【００６１】
１０…錠剤、１１…錠剤裁断片、
２０…錠剤分割装置、２１…錠剤カセット、２２…操作部、
２３…制御装置、２４…本体部（筐体）、２５…受器、２６…中継部、
２７…錠剤フィーダベース部、２８…支持部材、２８ａ…凸部（摺動係合部）、
３０…保持機構、３１…落下錠剤案内部材、３２…錠剤落下経路、
３３…裁断位置、３４…受止部材、３５…スリット、３６…固定覆板、
３７…溝深規定部材、３８…凹部（摺動係合部）、
４０…裁断機構、４１…錠剤裁断刃（対向刃の片方）、４１ａ…刃先部、
４１ｂ…刃元部、４１ｃ…テーパ部、４１ｄ…凸部（摺動係合部）、
４１ｅ…凹部（摺動係合部）、４３…前刃進退部材、４４…奥刃進退部材、
５１…蓋、５２…ロック５２、５３…ヒンジ、５４…開口、
６０…錠剤裁断刃交換治具、
６１…治具本体部、６１ａ…板状体（前側）、６１ｂ…板状体（奥側）、
６１ｃ…連結部（蝶番）、６２…凹部（摺動係合部）、６３…切込、
６３ａ…彫込、６４…刃保持部、６５…固装部材、６６…凸部（摺動係合部）、
６７…留置部材、６８…掛止端部、７１…止めネジ、７２…操作部材、
７２ａ，７２ｂ…摺動ピン、７３…付勢部材（バネ，弾性体）、７４…ガイド
【図１】
0005950883.tif 000002
【図２】
0005950883.tif 000003
【図３】
0005950883.tif 000004
【図４】
0005950883.tif 000005
【図５】
0005950883.tif 000006